(57)【要約】  商品陳列棒を支持構造にロックするための防犯装置。この装置は、陳列棒にスライド可能に収容される筐体を含み、筐体は、ロック位置とロック解除位置との間を移動可能なロック機構を含む。筐体は、その外面から内方へかつロック機構にあるロック部材の直線移動に垂直に延在する窪みを規定する。磁気鍵である、相補的な形状の双極磁石は、窪みに挿入され、ロック機構をロック解除位置に移動させる。防犯装置は、その背面に調節部材をさらに含む。調節部材は、防犯装置が取付けられる支持構造の異なった厚みを補償するよう係合される。
2010515530.tif 000002
【特許請求の範囲】
【請求項１】
商品陳列棒を支持構造にロックするための防犯装置であって、前記装置は、
前記陳列棒にスライド可能に収容されるよう構成された筐体を備え、前記筐体は、内部チャンバに配置され磁気によって引き付け可能で前記チャンバ内でロック位置とロック解除位置との間を移動可能なロック部材を含むロック機構を収めており、
前記筐体に形成され、前記筐体の外面から前記筐体の内部に内方へ延在し、前記チャンバの近くで終端する窪みをさらに備え、前記窪みは、前記ロック部材を前記ロック位置から前記ロック解除位置へ移動させるために、前記窪みの中に双極磁石鍵を収容するよう構成されている、防犯装置。
【請求項２】
前記ロック部材は、前記チャンバ内で前記ロック位置と前記ロック解除位置との間を直線的に移動し、前記窪みは、前記ロック部材の前記直線移動に対して垂直に延在する、請求項１に記載の防犯装置。
【請求項３】
前記窪みは、断面形状が不規則であり、その中に相補的断面形状の双極磁石を収容するよう構成されている、請求項１に記載の防犯装置。
【請求項４】
前記窪みは、断面がＤ字形であり、その中に相補的Ｄ字形の双極磁石を収容するよう構成されている、請求項１に記載の防犯装置。
【請求項５】
前記Ｄ字形の窪みは、実質的に平面である内壁と、弓形の内壁とによって規定され、前記平面である内壁は、前記ロック部材を自身の内部に保持した前記チャンバに近くかつ前記ロック部材の直線移動に対して垂直な位置まで延在する、請求項４に記載の防犯装置。
【請求項６】
商品陳列棒を支持構造にロックするための防犯システムであって、前記システムは、
防犯装置を備え、前記防犯装置は、
前記陳列棒にスライド可能に収容されるよう構成された筐体を含み、前記筐体は、磁気によって引き付け可能で前記筐体内でロック位置とロック解除位置との間を移動可能なロック部材を含むロック機構を収めており、
前記筐体に形成され、前記筐体の内部に内方へ延在する窪みをさらに含み、
前記ロック部材を前記ロック位置から前記ロック解除位置へ移動させるための双極磁石鍵をさらに備える、防犯システム。
【請求項７】
前記ロック部材は、前記チャンバ内で前記ロック位置と前記ロック解除位置との間を直線的に移動し、前記窪みは、前記ロック部材の直線移動に対して垂直に配向されている、請求項６に記載の防犯システム。
【請求項８】
前記双極磁石と前記窪みとは、断面形状が相補的である、請求項７に記載の防犯システム。
【請求項９】
前記双極磁石および前記窪みどちらの前記断面形状も、不規則である、請求項８に記載の防犯システム。
【請求項１０】
前記双極磁石および前記窪みどちらの前記断面形状も、少なくとも１つのまっすぐな側面を含む、請求項８に記載の防犯システム。
【請求項１１】
前記双極磁石および前記窪みは、断面が実質的にＤ字形である、請求項８に記載の防犯システム。
【請求項１２】
前記双極磁石は、平面である面と弓形の面とを有し、前記磁石は、前記平面である面にＮ極およびＳ極のうち一方を、前記弓形の面に前記Ｎ極および前記Ｓ極のうち他方を有するネオジム、鉄、ホウ素（ＮｄＦｅＢ）磁石である、請求項１１に記載の防犯システム。
【請求項１３】
前記窪みは、前記磁石の前記弓形の面よりも前記磁石の前記平面である面の方が前記ロック部材に近づけられるよう配向されている、請求項１２に記載の防犯システム。
【請求項１４】
前記双極磁石は、ネオジム、鉄、ホウ素（ＮｄＦｅＢ）磁石である、請求項６に記載の防犯システム。
【請求項１５】
商品陳列棒を支持構造に固定するための防犯装置であって、前記装置は、
前記陳列棒にスライド可能に収容されるよう構成された筐体を備え、前記筐体は、前記筐体内にある内部チャンバに配置され磁気によって引き付け可能で前記チャンバ内でロック位置とロック解除位置との間を移動可能なロック部材を含むロック機構を収めており、
前記筐体に形成され、前記筐体の外面から前記筐体の内部に内方へ延在し、前記チャンバの近くで終端する窪みをさらに備え、前記窪みは、前記ロック部材を前記ロック位置から前記ロック解除位置へ移動させるために、前記窪みの中に双極磁石鍵を収容するよう構成されており、
前記筐体の背面に少なくとも１つの調節部材をさらに備え、前記調節部材は、前記調節部材が前記背面の中に内方へ窪んだ第１の位置と、前記調節部材が少なくとも部分的に前記背面から外方へ延在し前記支持構造と当接するよう構成された第２の位置との間を移動可能である、防犯装置。
【請求項１６】
前記背面は、その中に収容部を規定し、前記調節部材は、前記収容部と係合可能であり、前記収容部と相対的に回転可能であって、前記調節部材を前記第１の位置と前記第２の位置との間で移動させる、請求項１５に記載の防犯装置。
【請求項１７】
前記調節部材は、軸と頭とを有するピンを含み、前記軸は、前記収容部にある開口部に係合可能であり、前記頭は、前記支持構造と当接するよう構成された外表面を有する、請求項１６に記載の防犯装置。
【請求項１８】
前記頭は、前記外表面から内方へ位置決めされた内部縁をさらに含み、前記内部縁は、前記頭の前記外表面から異なる距離をおいて配置された少なくとも２つの収容部係合面を含む、請求項１７に記載の防犯装置。
【請求項１９】
前記収容部は、前記調節部材が前記第１の位置にあるときに、前記頭の前記収容部係合面と噛合うよう相補的に構成された少なくとも２つのピン係合面を有する外側縁を含む、請求項１８に記載の防犯装置。
【請求項２０】
前記ピン係合面と前記収容部係合面とは、前記調節部材が前記第２の位置にあるときに、互いに噛合わない、請求項１９に記載の防犯装置。
【請求項２１】
前記ロック部材は、前記チャンバ内で前記ロック位置と前記ロック解除位置との間を直線的に移動し、前記窪みは、前記ロック部材の直線移動に対して垂直に配向されている、請求項１５に記載の防犯装置。
【発明の詳細な説明】
【技術分野】
【０００１】
発明の背景
技術分野
この発明は、概して、陳列板またはワイヤ陳列棚に取付けられる商品陳列システムに関する。より特定的には、この発明は、陳列システムがロックされているときに、商品が陳列システムから素早く取外されることを防ぐ、または商品が持ち去られることを防ぐ陳列システムに関する。具体的には、この発明は、陳列板にロックされて、陳列システム全体および取付けられた商品が陳列棚から取外されることを防ぐことができ、特別に構成された磁気鍵を用いてのみロックを解除できる陳列システムに関する。
【背景技術】
【０００２】
背景情報
商品は、一般に、販売のために、ペグボードまたはスラットボードから支持された長い突出棒に陳列される。こういった突出棒は、一般に、この技術分野においてペグボードフックまたはスラットボードフックと呼ばれる。同様の棒は、同じ目的のためにワイヤ陳列棚からも突出することがある。通常、商品品目は小型のものであり、電池または小型の工具もしくは他の部品などである。このような商品は、万引き犯にとってたやすい標的である。なぜなら、万引き犯は、すべての品物を陳列システムから素早く取外し、探知されることなく商品を店舗から持ち去ることができるからである。あるいはまた、陳列システムがペグボードなどにロックされていない場合は、陳列システム全体を全商品をつけたままペグボードなどから取外すことも可能である。
【０００３】
先行技術は、陳列棒の端部を陳列板に固定するためのさまざまな装置および機構を開示している。たとえば、Leydenに付与された米国特許第５，６７６，２５８号は、陳列壁または陳列板の一部をそれらの間に締着する２つの脚部を有するＺ形プレートを含む。２つの脚部の間には１対のねじが延在する。結果として、陳列棒のその端部を取外す唯一の方法は、ねじ回しを用いてねじを取外すことである。
【０００４】
Mauleに付与された米国特許第４，４５２，４９７号は、間隔を置いて配置された２本の棒の第１の端部を互いに結合する垂直の支持具を有する。棒は、垂直の支持具に固定されており、そして垂直の支持具は、締結具によって支持壁または陳列板に固定されている。窃盗犯は、垂直の支持具全体を壁から取外さなくてはならないであろうし、それでも、棒の第１の端部は支持具に固定されているので、商品は陳列システムから取外し不可能であろう。
【０００５】
Huehner他に付与され、本譲受人に譲渡された米国特許第６，４７４，４７８号は、ペグフックをペグボード支持具にロックし、これによりペグフックに陳列された製品とともにペグフックを不正に取外すことを防ぐために用いられる防犯装置を開示している。防犯装置は、特別に設計された鍵を用いることなく装置を取外すことを防ぐロック基部アセンブリを含む。ロック基部アセンブリは、内側基部と外側基部とを含む。外側基部は、内側基部とスライド式に係合する。内側基部の両側から、フランジが外方へ突出しており、こういったフランジは、内側基部と外側基部とが係合するとき、外側基部にある細長いくぼみに収容される。フランジのうち少なくとも一方は、外側基部にあるレッジに引っかかりこのレッジとロックする突出したロック部材を含む。１対の鍵穴が外側基部に設けられている。特別に設計された鍵からのピンを、鍵穴を通して挿入してロック部材を押し下げ、これによりロック部材をレッジから外すときにのみ、基部アセンブリのロックを解除することができる。
【０００６】
Mansfield他に付与され、本譲受人に譲渡された米国特許第７，１７８，６７８号は、支持構造から商品を陳列するのに用いられる商品陳列フックを開示している。基部アセンブリは、陳列フック上の棒とスライド可能に係合する。基部アセンブリは、磁気によって作動可能で棒の一部と係合するロックを含む。ロックがロック解除位置にあると、基部アセンブリは、棒に沿ってスライド式に移動することができ、陳列フックは、支持具から取外すことができる。ロックがロックされた状態であると、基部アセンブリは、棒に沿ってスライド式に移動することができず、したがって陳列フックは、支持具上にロックされている。ロックは、ロック位置からロック解除位置へ、磁石を含む鍵によって移動される。鍵は、基部アセンブリの外面上でロックの近くに置かれる。鍵の中の磁石は、磁気によりロックを基部アセンブリの外面に向かって引き付け、これにより、ロックを棒から外す。
【０００７】
Nagelski他による、本譲受人に譲渡された米国特許出願公開第２００６／０１５７４３１号は、商品を自身に固定する陳列棒のためのロック機構と、それをロック解除するための特別な磁気鍵とを開示している。この防犯装置は、ロックを含み、このロックは、磁気によって引き付け可能でロックの中のチャンバに収納されたプランジャを備える。プランジャは、チャンバ内でロック位置とロック解除位置との間を直線的に移動する。プランジャは、ロック位置にあると陳列棒と係合し、商品が陳列棒から取外されることを防ぐ。プランジャは、ロック解除位置にあると陳列棒と係合せず、したがって商品は棒から取外すことができる。チャンバは装置の外面の近くにあるが、その存在および位置は、装置を外側から簡単に調べても明らかでないであろう。同様に、鍵は、筐体によって完全に取囲まれた磁石を含むので、鍵を外側から簡単に調べてもその内部に磁石があると判明しないであろう。たとえ装置をロック解除するためには磁石が必要であることが突き止められても、かなりの時間を費やして装置および棒磁石を操作することなしに、ロック機構の位置を突き止めることは困難であろう。このように時間がかかることで、窃盗犯が現場を押さえられる可能性が高くなるであろう。権限を与えられた従業員が使用するための特別に設計された磁気鍵は、上記公報中で、防犯装置の外面にある位置決め溝の中に係合されなくてはならない位置特定タブを有すると開示されている。これにより、磁石は、装置の外面上でロック機構に隣接して正しく位置決めされる。位置特定タブが位置決め溝の中に係合しない場合は、磁石は防犯装置の外面上で正しく位置決めされず、プランジャは移動せず、装置はロックされたままである。
【発明の概要】
【発明が解決しようとする課題】
【０００８】
上記の２つの商品陳列システムにおいて、陳列システムを陳列板から取外すためには、窃盗犯は相当な努力を払わなくてはならない。これは、陳列システム上の商品を盗むことが困難にする。しかしながら、これは、小売業者が陳列システムを陳列板上で位置変更することも困難にする。
【０００９】
したがって、この技術分野において、ペグボードからの陳列システムの取外しを防ぐが、同時に、ペグボード上での位置変更のために簡単かつ素早く取外しされる商品陳列システムを提供することが必要とされている。
【課題を解決するための手段】
【００１０】
発明の概要
この発明の装置は、商品陳列棒を支持構造にロックするための防犯装置を含む。この装置は、陳列棒にスライド可能に収容される筐体を含み、筐体は、ロック位置とロック解除位置との間を移動させることができるロック機構を含む。筐体は、筐体の外面から内方へ、かつロック機構にあるロック部材の直線移動に垂直に延在する窪みを規定する。この窪みに、磁気鍵である相補的形状の双極磁石が挿入されて、ロック機構をロック解除位置へ
移動させる。好ましくは、双極磁石は、断面がＤ字形の焼結ネオジム、鉄、ホウ素（ＮｄＦｅＢ）磁石である。防犯装置は、その背面に調節部材をさらに含む。調節部材は、防犯装置が取付けられる支持構造の異なった厚みを補償するよう係合される。好ましくは、調節部材は、筐体の背面にある収容部にある開口部に回転可能に収容される軸を有するピンを含む。ピンは、外表面を備えた頭を有し、この外表面は、ピンが回転されて頭を防犯装置の背面の平面を超えて外方へ延在させるときにのみ、支持構造と当接する。
【００１１】
出願人が原理を適用しようと企図する最良の形態を説明する、この発明の好ましい実施例を、以下の説明で述べ、図面に示し、添付の特許請求の範囲に特定的かつ明瞭に指摘し、述べる。
【図面の簡単な説明】
【００１２】
【図１】陳列板に接続され複数の商品を吊り下げているこの発明の商品陳列システムの側面図である。
【図２】図１の線２−２を通る陳列システムの正面断面図である。
【図３】図１の線３−３を通る陳列システムの背面断面図である。
【図４】図２の線４−４を通る部分断面側面図であり、ロック位置にある棒アセンブリおよび基部アセンブリを示す。
【図５】図４と同様の断面図であり、鍵が基部アセンブリを棒アセンブリからロック解除した状態のロック解除位置を示す。
【図６】陳列システムの部分断面図であり、ロック解除位置にあり、基部アセンブリが棒アセンブリに沿って外方へスライドする状態の棒アセンブリおよび基部アセンブリを示す。
【図７】陳列システムの部分的に分解された背面図である。
【図８】図７の調節ねじのうち１つの側面図である。
【図９】図８の調節ねじの端面図である。
【図１０】基部アセンブリおよび調節ねじの分解された部分斜視図である。
【図１１】調節ねじがその中に係合された基部アセンブリの部分斜視図である。
【図１２】図１１の基部アセンブリの部分斜視図であり、第１の方向への調節ねじの回転を示す。
【図１３】厚い方のペグボードと係合した図１２の基部アセンブリおよび棒アセンブリの側面図である。
【図１４】図１１の基部アセンブリの部分斜視図であり、第２の方向への調節ねじの回転を示す。
【図１５】図１３に示すものより薄いペグボードと係合した図１４の基部アセンブリおよび棒アセンブリの側面図である。
【発明を実施するための形態】
【００１３】
発明の詳細な説明
この発明の商品陳列システムを番号１００によって全体的に示し、図１−図１５に示す。陳列システム１００は、小売業環境における陳列のために商品１０４を支持するために陳列板１０２（ペグボードまたはスラットボード）とともに用いられる。陳列システム１００は、棒アセンブリ１０８と、基部アセンブリ１０６と、端部アセンブリ１１０とを含む。棒アセンブリ１０８は、１対の上方に延在する部材１１１を含む板係合端部１１２を有し、この上方に延在する部材は、陳列板１０２にある穴１０３を通して収容可能であって、棒アセンブリ１０８を陳列板に片持ち梁状に取外し可能に取付ける。端部アセンブリ１１０は、商品を棒アセンブリにロック可能に固定するために設けられる。
【００１４】
端部アセンブリ１１０は、「固定された自由端を有する陳列用フックアセンブリ」と題され本発明者によって同時に出願された米国特許出願の主題である。本発明者による第２
の同時出願は、端部アセンブリ１１０および基部アセンブリ１０６の両方をロック解除するための鍵に関する。この第２の出願は、「防犯装置とともに用いるための磁気鍵」と題されている。これら２つの関連出願の開示全体は、この明細書中に引用により援用される。
【００１５】
この発明は、陳列システム１００のロック可能な基部アセンブリ１０６に特定的に関する。基部アセンブリ１０６は、棒アセンブリ１０８と係合可能であり、この明細書中に以下に説明するように、ロック機構を含み、棒アセンブリ１０８を陳列板１０２にロック可能に固定する。ロック位置にあると、基部アセンブリ１０６は、棒アセンブリ１０８が陳列板１０２にある穴１０３から特定的な鍵１１４（図５）を用いることなく取外されないよう、棒アセンブリ１０８を陳列板１０２に固定する。この出願で用いる用語「ロックする」は、単純な「ラッチされた」接続とは異なる。「ラッチされた」接続は、特別な鍵を用いることなくラッチを外すことができ、その一方「ロックされた」接続は、特別な鍵を必要とする。鍵１１４は、陳列システム１００の基部アセンブリ１０６および端部アセンブリ１１０の両方に用いることができて、これらをロック解除するよう設計されている。
【００１６】
基部アセンブリ１０６は、正面１２０ａと裏面１２０ｂとを有する筐体１２０を含む。裏面１２０ｂは、実質的に平面であり、陳列板１０２の外表面１０２ａの近くに配置されるよう構成されている。筐体の正面１２０ａは、筐体の裏面１２０ｂから外方へ突出しており、好ましくは、段差を付けられた２つの領域を形成し、これら領域は、寸法が異なる（図１）。この明細書中に以下に説明するように、正面１２０ａは、その中に特定的に形成された窪み１２２を規定し、この窪みは、その中に鍵１１４の突起部分１２４を受入れるよう相補的な大きさおよび形状に作られている。窪み１２２は、筐体１２０の裏面１２０ｂから前方へ距離をおいて配置された壁１２３で終端する。
【００１７】
基部アセンブリ１０６、端部アセンブリ１１０、および鍵１１４は、特定産業または店舗用に設計されることが企図される。したがって、各産業または店舗は、特定的形状の窪み１２２を基部アセンブリ１０６および端部アセンブリ１１０の両方に含む防犯システムを有する。こういった基部アセンブリ１０６および端部アセンブリ１１０は、専用の鍵１１４でのみロック解除することができ、この鍵の断面形状は、この鍵を特定的形状の窪み１２２に挿入することを可能にする相補的な形状である。この発明の好ましい実施例において、窪み１２２は、実質的にＤ字形であり、相補的な大きさのＤ字形の鍵１１４によってのみアクセスすることができる。窪み１２２は、台形などの他の形状であり得、その場合、鍵１１４の断面は、相補的な台形であるだろう。この構成は、窃盗犯予備軍が、基部アセンブリ１０６を、一般的に入手可能な磁石でロック解除する可能性を相当低減する。
【００１８】
基部アセンブリ１０６の筐体１２０は、棒アセンブリ１０８との係合のための、穴１２６と筐体の下端１２０ｃに隣接する通路１３０とを規定する。筐体１２０は、内部チャンバ１２８をさらに規定し、内部チャンバは、穴１２６の上に配置され、この穴と連通し、第２の壁１２５によって窪み１２２から隔離されている。基部アセンブリ１０６のためのロック機構は、この明細書中に以下に説明するように、内部チャンバ１２８内に保持されている。
【００１９】
棒アセンブリ１０８は、棒アセンブリ１０８の内端１４０に隣接する接続棒１３８によって接続された上側棒１３４と下側棒１３６とを含む。上側棒１３４は、棒アセンブリ１０８の内端１４０に隣接する上方を向いた切欠１４２（図６）を規定する。切欠１４２は、側端縁１４４、１４６によって囲まれている。上側棒１３４および下側棒１３６はどちらも、断面が円筒形であり、それぞれ、端部アセンブリ１１０と係合する外端１４８、１５０を有する。
【００２０】
この発明の特定的な特徴に従って、ロック機構１５２は、基部アセンブリ１０６のチャンバ１２８内に配置されている。ロック機構１５２は、基部アセンブリ１０６と棒アセンブリ１０８とをロックする。ロック機構１５２は、往復運動アセンブリ１５６に据え付けられた圧縮ばね１５４を含む。往復運動アセンブリ１５６は、基部アセンブリ１０６の内部チャンバ１２８内で往復運動するために相補的な形状および大きさに作られている。往復運動アセンブリ１５６の底部１５８は、棒アセンブリ１０８の上側棒１３４にある切欠１４２に収容されるよう相補的な形状および大きさに作られている。底部１５８は、切欠１４２を規定する棒１３４の側端縁１４４、１４６間にしっかり保持される大きさに作られている。ロック機構１５２の底部１５８がそのように係合すると、基部アセンブリ１０６は、棒１３４に沿ってスライド可能に移動させることができない。
【００２１】
この発明の別の特定的な特徴に従って、往復運動アセンブリ１５６は、磁石に引き付けられる金属から作られてもよく、または、それ自身、磁気特性を有する金属から製造されてもよい。一方、底部１５８は、磁化されておらずかつ磁化され得ない絶縁材料から製造されている。底部１５８に適した材料は、プラスチックである。絶縁底部１５８は、実質的に、基部アセンブリ１０６のロック解除中に、鍵１１４から発生する磁力場が棒１３４をこの磁力場に向かって引き付けないようにする。
【００２２】
基部アセンブリ１０６は、以下のように用いられる。棒１３４、１３６の端部１４８、１５０を、筐体１２０の裏面１２０ｂを通して基部アセンブリ１０６の穴１２６および通路１３０の中に挿入する。基部アセンブリ１０６を、「Ｙ」（図６）と反対の方向に棒アセンブリ１０８に沿ってスライド式に移動させる。上側棒１３４は、基部アセンブリ１０６の穴１２６を通ってスライド可能かつロック可能に延在し、下側棒１３６は、同様に、基部アセンブリ１０６の通路１３０をスライド可能に貫通している。
【００２３】
棒アセンブリ１０８を、陳列板１０２に固定するとき、上向き部材１１１を、陳列板１０２にある１対の隣接した穴１０３を通して挿入する。基部アセンブリ１０６を、「Ｙ」と反対の方向に棒アセンブリ１０８に沿ってスライド式に移動させる。棒１３４の切欠１４２がロック機構１５２に隣接して位置決めされると、ばね付勢された往復運動アセンブリ１５６は、チャンバ１２８内で自動的に下方へ移動する。底部１５８は、切欠１４２に入り、側端縁１４４、１４６と係合し、これにより実質的に、基部アセンブリ１０６が、棒アセンブリ１０８と相対的にどちらかの方向にスライド可能に移動されないようにする。よって、棒アセンブリ１０８と基部アセンブリ１０６とは固定され、鍵１１４なしに互いから外すことはできない。
【００２４】
図７−図１５を参照し、この発明の別の特定的な特徴に従って、基部アセンブリ１０６は、基部アセンブリ１０６および棒アセンブリ１０８が異なった厚みの陳列板１０２上にロックされることを可能にする複数の調節ピン１６０を含む。筐体１２０は、円筒形で細長い複数のピン収容部１６２を備えて成型されている。好ましくは、筐体１２０は、筐体１２０の上端および下端の両方の近くに位置決めされた２つの収容部１６２を含む。収容部１６２は、その中に開口部１６４を規定し、この開口部は、筐体１２０の裏面１２０ｂに向かって開いている。図８および図９に示すように、調節ピン１６０は、軸１６６と頭１６８とを含む。各ピン１６０の軸１６６は、収容部１６２のうち１つにある開口部１６４に収容される。１つ以上のＯリング１６９は、軸１６６がその中に確実にぴったりと収容されるようにする。各ピンの頭１６８は、外表面１６８ａを含み、外表面は、すりわり１７０をそこに規定する。すりわり１７０は、ピン１６０を収容部１６２内で回転させるために、ねじ回しによって係合されるよう構成されている。頭１６８は、縁１７２を有し、縁には高さの異なった３つの内面、すなわち面Ａ、面Ｂ、および面Ｃがある。面Ｃは、高さが最も低く、外表面１６８ａから外方へ最短距離延在する。面Ｂは、中間の高さがあり、外表面１６８ａから面Ｃより長い距離延在する。面Ａは、高さが最も高く、頭１６８
の外表面１６８ａから面Ｂまたは面Ｃのどちらよりも遠くへ延在する。傾斜面１６３は、面Ｃと面Ｂとを接続し、第２の傾斜面１６５は、面Ｂと面Ａとを接続する。止め１６７は、面Ａと面Ｃとの間に設けられている。
【００２５】
図１０に示すように、収容部１６２の末端部は、ピン１６０の頭１６８の縁１７２と相補的な形状の縁１７８を備える。縁１７８は、高さの異なった３つの面、すなわち面Ａ′、面Ｂ′、および面Ｃ′を有する。面Ａ′は、高さが最も低く、収容部１６２から外方へ最短距離延在し、面Ｂ′は、中間の高さがあり、面Ｃ′は、高さが最も高く、面Ａ′および面Ｂ′のいずれよりもさらに遠くまで外方へ延在する。面Ａ′と面Ｂ′とは、傾斜面１６５′によって接続されており、面Ｂ′と面Ｃ′とは、傾斜面１６３′により接続されており、止め１６７′は面Ａ′と面Ｃ′との中間に設けられている。
【００２６】
図１０−図１２に示すように、ピン１６０は、縁１７２と縁１７８とが噛合うよう収容部１６２のボア１６４に挿入されてもよい。この例において、面Ａは、面Ａ′と噛合い、面Ｂは、面Ｂ′と噛合い、面Ｃは、面Ｃ′と噛合う。この位置において、ピン頭１６８は、基部アセンブリ１０６の裏面１２０ｂの内側に配置されているであろう。
【００２７】
基部アセンブリ１０６が、棒アセンブリ１０８と係合され、棒アセンブリを陳列板１０２に固定する位置に移動される場合は、基部アセンブリ１０６の裏面１２０ｂは、陳列板１０２と当接接触しているべきである。しかしながら、図１３の陳列板１０２Ａなど、陳列板が通常より薄い場合、調節ピン１６０を用いてこのより薄い板１０２Ａを補償し、これにより、棒アセンブリ１０８を陳列板１０２Ａにロックするよう、基部アセンブリ１０６を正しく位置決めしてもよい。ピン１６０のこの調節は、ねじ回しをピン１６０の頭１６８にあるすりわり１７０に係合させ、ピンを回転させることによって行なわれる。これは、縁１７２および１７８にある非合わせ面を互いに接触させる。図１４は、１つのこのような調節を説明し、頭１６８にある面Ａは、縁１７８にある面Ｃ′と接触されている。ピン１６０がねじ回しによって回転されると、ピン１６０の縁１７２にある面Ａ、面Ｂ、および面Ｃは、収容部１６２の縁１７８にある傾斜面１６３′、１６５′を登る。ピン１６０がこのようにして調節されると、ピン１６０の頭１６８は、基部アセンブリ１０６の裏面１２０ｂを超えて後方へ延在する。したがって、基部アセンブリ１０６が、棒アセンブリ１０８を陳列板１０２Ａにロックするよう棒アセンブリ１０８に位置決めされるとき、陳列板１０２Ａの外表面と当接するのは頭１６８の外表面１６８ａである。
【００２８】
図１５の板１０２Ｂなど、陳列板がさらに薄く、板１０２Ｂと基部アセンブリ１０６との間の距離は、棒アセンブリ１０８を陳列板１０２Ｂにしっかりとロックするためには不十分であると判明した場合は、ピン１６０をさらに調節してもよい。これは、ピン１６０の外表面１６８ａが基部アセンブリ１０６の裏面１２０ｂの後方へ最大程度延在するよう、ピン１６０をもう１度回転させることによって行なわれる。この例においてもまた、さらに薄い陳列板１０２Ｂと当接し、裏面１２０ｂと陳列板１０２Ｂの外表面との間により長い距離をあけるのは、ピン１６０の外表面１６８ａである。止め１６７および１６７′は、ピン１６０が回転し過ぎるのを防ぐために設けられていることが理解されるであろう。基部アセンブリ１０６の裏面１２０ｂか、調節ピン１６０の外表面１６８ａかのいずれかが陳列板１０２と当接接触していると、棒アセンブリ１０８は、部材１１１を陳列板１０２から外すよう、矢印「Ｘ」によって示す方向に上方に回転させることができない。したがって、棒アセンブリ１０８と陳列板１０２とはロックされ、基部アセンブリ１０６が棒アセンブリ１０８から外されるまで互いから外すことはできない。
【００２９】
図５および図６を参照して、基部アセンブリ１０６を棒アセンブリ１０８から外し、これにより棒アセンブリ１０８を陳列板１０２から取外すためには、特別に設計された鍵１１４が用いられなくてはならない。磁気鍵１１４についての同時出願において開示される
ように、鍵１１４は、筐体１１５を含み、筐体は、その中に特定的な形状の双極磁石を保持する。双極磁石は、筐体１１５内の滑動子の上に保持されている。鍵１１４を用いるときは、筐体１１５にあるボタン１１７を押す。これにより、滑動子は筐体１１５内で移動し、双極磁石の少なくとも一部分を筐体１１５から外方へ延ばす。双極磁石のこの延ばされた部分は、図５および図６に示す突起部分１２４である。問題の双極磁石は、好ましくは、ネオジム、鉄、およびホウ素の合金（ＮｄＦｅＢ）から製造されている。特定的には、好ましい磁石は、ニッケルめっきされたＮｄＦｅＢ焼結磁石である。磁石は、基部アセンブリ１０６にある窪み１２２の断面形状と形状および大きさが相補的である特定の断面外形を有するよう特定的に製造されている。この発明の好ましい実施例において、窪み１２２は、実質的にＤ字形であり、鍵１１４にある双極磁石突起部分１２４も、実質的に断面がＤ字形で、断面の大きさが相補的である。しかしながら、窪み１２２および突起部分１２４はどちらも、台形、六角形、または三角形などの別の形状に成形されてもよいことが理解されるであろう。好ましくは、窪み１２２および双極磁石１２４はどちらも、断面形状が不規則であり、非円形であり、少なくとも１つのまっすぐな側面を含む。
【００３０】
Ｄ字形の双極磁石１２４は、その平面である面１２４ａ（突起部分１２４の、基部アセンブリ１０６にあるロック機構に近づけられる部分である面１２４ａ）に特定の極を有するようにも特定的に製造されている。磁石１２４は、突起部分１２４の弓形の面１２４ｂに反対の極を有するよう形成される。したがって、たとえば、磁石は、Ｎ極を平面である面１２４ａに、Ｓ極を平面である面１２４ａと正反対にある弓形の面１２４ｂに備えて製造されてもよい。前述のように、往復運動アセンブリ１５６は、磁気によって引き付け可能な金属から作られた領域を含む。往復運動アセンブリ１５６自身が磁気特性を有する金属から製造されている場合、鍵１１４は、適切な極が突起部分１２４に提供された場合のみ、機能するであろう。よって、たとえば、往復運動アセンブリ１５６が磁石を含み、Ｎ極が底部１５８に隣接し、Ｓ極がばね１５４に隣接している場合、平面である面１２４ａにＮ極がある鍵１１４を挿入すると、ロック機構は、突起部分１２４に向かって引き付けられるであろう。しかしながら、その平面である面１２４ａにＳ極を有する鍵１１４を用いても、２つのＳ極が互いに反発するので、ロック機構がロック解除される結果とならず、ロック機構はロックされたままであるだろう。しかしながら、典型的に、往復運動アセンブリ１５６に用いられる金属は、非磁性のものである。しかし、その代わり、陳列システム１００に陳列される商品１０４に用いられる電子防犯タグを損傷する可能性を低減するほどだけには、磁気により引き付け可能であろう。
【００３１】
基部アセンブリ１０６にある窪み１２２の形状は、実質的に、一般的に入手可能な棒磁石などの非相補的形状の磁石が、窪み１２２の中へ挿入されることを防ぐ。さらに、絶縁底部１５８と、内壁１２５（この内壁も絶縁材料から製造されている）の厚みとの組合せは、実質的に、その中を、非双極磁石からの磁力場が、往復運動アセンブリ１５６を移動させ上側棒１３４とのロック係合を解除させるのに十分に貫通しないようにする。さらに、双極磁石の極性の特定性も、たとえ他の磁石を窪み１２２の中に挿入することができても、それを用いてロック機構１５２をロック解除することができる可能性を低減する。
【００３２】
鍵１１４を用いて基部アセンブリ１０６をロック解除するときは、筐体１１５を、棒１３４上に位置決めし、筐体１２０の正面に向かってスライド式に移動させる。突起部分１２４を、窪み１２２に挿入し、突起部分１２４が窪み１２２の奥にある内端壁と接触するまで内方へ押す。窪み１２２は、往復運動アセンブリ１５６の直線移動の方向に対して直交するように配置されている。突起部分１２４から発生する磁力場は、往復運動アセンブリ１５６およびばね１５４を内壁１２４を通して平面である面１２４ａに向かって引き付ける。この引き付け力は、ロック機構１５２を、チャンバ１２８内で上方にスライドさせる。往復運動アセンブリ１５６の上方への移動は、ばね１５４を圧縮し、底部１５８を上側棒１３４にある切欠１４３から引き出す。鍵１１４が、底部１５８が切欠１４２の側端
縁１４４を通過するまで、窪み１２２の中に留まっているならば、底部１５８が、上側棒１３４にある側端縁１４４、１４６を通過すれば、ロック機構１５２はロック解除され、基部アセンブリ１０６は、棒アセンブリ１０８に沿って自由にスライドすることができる。基部アセンブリ１０６が、棒アセンブリ１０８に沿って矢印「Ｙ」の方向にスライド可能に移動して、往復運動アセンブリ１５６が側端縁１４４を通過し、切欠１４２の上方に位置しなくなると、基部アセンブリ１０６は、鍵１１４が窪み１２２の中に係合したままでなくとも、棒アセンブリ１０８に沿って自由にスライドすることができる。したがって、鍵１１４を、窪みから抜くことができる。なお、しかしながら、鍵１１４は、基部アセンブリ１０６を棒アセンブリ１０８に沿って移動させる間、窪み１２２から抜く必要はない。
【００３３】
基部アセンブリ１０６の裏面１２０ａと陳列板１０２の外表面１０２ａとの間に十分な距離が開かれたとき、棒アセンブリ１０８は、「Ｘ」（図６）の方向に回転され、部材１１１は陳列板１０２にある穴１０３から引抜かれ得る。これにより、棒アセンブリ１０８は、陳列板１０２から取外される。
【００３４】
たとえば、小売業者が、単に、棒アセンブリ１０８を、陳列板１０２にある、ある一式の穴１０３から別の一式の穴（図示せず）へ移動させたい場合、棒アセンブリ１０８と基部アセンブリ１０６とを、ロック解除位置で互いに係合したままにしてもよい。棒アセンブリの新しい位置を選択したなら、部材１１１を新しい穴の中に挿入し、底部１５４が切欠１４２の上方に位置するときにロック機構１５２が自動的にロックするまで、基部アセンブリ１０６を「Ｙ」と反対の方向にスライド式に移動させる。この位置において、ロック機構１５２は、再びそのロック位置にあり、基部アセンブリ１０６は、棒アセンブリ１０８上にロックされており、棒アセンブリ１０８は、陳列板１０２にロックされている。
【００３５】
一方で、基部アセンブリ１０６は、棒アセンブリ１０８から、この２つの構成要素を上側棒１３４および下側棒１３６がそれぞれ穴１２６および通路１３０から引抜かれるまで相対的にスライドさせることによって、完全に外すことができる。上側棒１３４の自由端が基部アセンブリ１０６の裏面１２０ｂを通過すれば、ロック機構１５２は、伸張するばね１５４の力のためにチャンバ１２８中で下方へスライドする。すると、基部アセンブリ１０６は、鍵１１４を用いてロック機構１５２を穴１２６から外へスライドさせた場合のみ、棒アセンブリ１０８と再び係合させることができる。
【００３６】
基部アセンブリ１０６は、上側棒１３４と下側棒１３６とを有する棒アセンブリ１０８と係合して説明されたが、これに代えて、この発明の基部アセンブリは、上向きの切欠を含む１本のみの棒を有する棒アセンブリとともに用いられてもよいことが理解されるであろう。さらに、基部アセンブリ１０６は、この発明の趣旨を逸脱することなしに、往復運動アセンブリ１５６が棒アセンブリ１０８の棒にある下方を向いた切欠と係合することを可能にする位置に配置された内部チャンバを設けられてもよいことが理解されるであろう。前述の説明では、簡潔性、明瞭性、および理解のために、ある用語が使用されてきた。不要な限定が先行技術の要件を超えてそれらから黙示されるべきではない。なぜなら、そのような用語は、説明のために使用されており、幅広く解釈されるよう意図されているためである。
【００３７】
さらに、この発明の説明および例示は一例であり、この発明は、図示された、または説明された詳細そのものに限定されない。
【図１】
2010515530.tif 000003
【図２】
2010515530.tif 000004
【図３】
2010515530.tif 000005
【図４】
2010515530.tif 000006
【図５】
2010515530.tif 000007
【図６】
2010515530.tif 000008
【図７】
2010515530.tif 000009
【図８】
2010515530.tif 000010
【図９】
2010515530.tif 000011
【図１０】
2010515530.tif 000012
【図１１】
2010515530.tif 000013
【図１２】
2010515530.tif 000014
【図１３】
2010515530.tif 000015
【図１４】
2010515530.tif 000016
【図１５】
2010515530.tif 000017
【国際調査報告】
2010515530.tif 000018